(57)【要約】【課題】ハイハットシンバルの角度が不用意に変化することを防止でき、角度調整の作業性を向上できるようにすること。【解決手段】角度調整構造１２は、ハイハットシンバルＳを下方から支持する受け部材１５と、この受け部材１５に設けられた雄ねじ部１７と、この雄ねじ部１７に螺合するとともに、回転操作により雄ねじ部１７を進退させて受け部材１５の傾斜角度を調整可能な雌ねじ部１８と、この雌ねじ部１８を支持する支持体１４と、雌ねじ部１８の回転を規制可能に設けられた回転規制部１９とを備えて構成されている。回転規制部１９は、雌ねじ部１８の周方向に複数形成された凹部からなる第１の係合部３３と、支持体１４に設けられるとともに、第１の係合部３３に係合可能な凸部からなる第２の係合部３４とを備えている。【選択図】図２
2010145572.tif 000002
【特許請求の範囲】
【請求項１】
ハイハットシンバルを下方から支持する受け部材と、この受け部材に設けられた第１のねじ部と、この第１のねじ部に螺合するとともに、回転操作により第１のねじ部を進退させて受け部材の傾斜角度を調整可能な第２のねじ部と、この第２のねじ部を支持する支持体と、第２のねじ部の回転を規制可能に設けられた回転規制部とを備え、
前記回転規制部は、第２のねじ部の周方向に複数形成された第１の係合部と、前記支持体に設けられるとともに、前記第１の係合部に係合可能な第２の係合部とを備えていることを特徴とするハイハットシンバルの角度調整構造。
【請求項２】
前記第１の係合部は、凹部により形成されている一方、前記第２の係合部は、前記凹部内に挿入されて係合する凸部からなり、
前記第２のねじ部は、前記凹部内に凸部が挿入される方向に付勢部材によって付勢されることを特徴とする請求項１記載のハイハットシンバルの角度調整構造。
【請求項３】
前記複数の第１の係合部は、鋸刃状に形成されることを特徴とする請求項１又は２記載のハイハットシンバルの角度調整構造。
【発明の詳細な説明】
【技術分野】
【０００１】
本発明は、ハイハットシンバルの角度調整構造に係り、更に詳しくは、演奏時等においてハイハットシンバルの角度が意図することなく変わることを防止することができるハイハットシンバルの角度調整構造に関する。
【背景技術】
【０００２】
従来より、ハイハットシンバルを支持するためのハイハットスタンドが広く利用されており、かかるハイハットスタンドとしては、特許文献１に開示されているものが知られている。同文献のハイハットスタンドは、ハイハットシンバルを下方から支持する受けプレートと、この受けプレートの下方に設けられたボルト及びこれに螺合するナットとを備えて構成されている。同文献では、ボルトを回転して上下動させることで、ボルト上の受けプレートの傾きを変化させ、ハイハットシンバルの傾斜角度を調整できるようになっている。
【０００３】
ここで、前記ボルトにあっては、演奏による振動や衝撃によって不用意に回転し易くなり、ハイハットシンバルの傾斜角度が不用意に変化する場合がある。そこで、同文献では、前記ナットの他に、ロックナットをボルトに螺合しており、ボルトの回転操作による角度調整を終えた後、ロックナットの締め付けを行ってボルトの不用意なる回転を規制するようになっている。
【０００４】
また、ボルトとナットの回転規制を行う他の構造として、特許文献２に開示されているものが知られている。同文献では、ナットを回転操作することでボルトを上下動させてハイハットシンバルの傾斜角度を調整可能に設けられている。また、同文献にあっては、スプリングによりボルトを軸線方向に付勢することで、ボルトとナットとの摩擦力を増大し、ナットの回転規制が行われる。
【０００５】
【特許文献１】実用新案登録第２５５９４２０号公報
【特許文献２】米国特許第７０７８６０６号明細書
【発明の開示】
【発明が解決しようとする課題】
【０００６】
しかしながら、特許文献１にあっては、ボルトの回転規制を行う場合、当該ボルトの回転操作とは別に、ロックナットの締め付け操作が必要となる。しかも、ハイハットシンバルの傾斜角度を調整する度に、ロックナットの締め付けを解除する操作と、ロックナットを再度締め付ける操作とが必要となる。このため、角度調整作業に多大な手間がかかるばかりでなく、作業の長時間化を招来する、という不都合がある。
【０００７】
また、特許文献２にあっては、スプリングの弾性力を大きくすると、これに伴ってナットの回転操作力も大きく必要となり、作業性が低下するという不都合を生じる。また、ナット及びボルトの各ねじ溝同士の摩擦により回転規制するので、振動や衝撃が繰り返される演奏においては、摩擦力が変化し易くなって回転規制を常時行うことが困難となる。なお、スプリングの弾性力を小さくすれば、作業性は改善できるもののボルトの回転規制がより一層困難になる、という不都合を招来する。
【０００８】
［発明の目的］
本発明は、このような不都合に基づいて案出されたものであり、その目的は、ハイハットシンバルの角度が不用意に変化することを防止することができ、角度調整の作業性を向上することができるハイハットシンバルの角度調整構造を提供することにある。
【課題を解決するための手段】
【０００９】
前記目的を達成するため、本発明は、ハイハットシンバルを下方から支持する受け部材と、この受け部材に設けられた第１のねじ部と、この第１のねじ部に螺合するとともに、回転操作により第１のねじ部を進退させて受け部材の傾斜角度を調整可能な第２のねじ部と、この第２のねじ部を支持する支持体と、第２のねじ部の回転を規制可能に設けられた回転規制部とを備え、
前記回転規制部は、第２のねじ部の周方向に複数形成された第１の係合部と、前記支持体に設けられるとともに、前記第１の係合部に係合可能な第２の係合部とを備える、という構成を採っている。
【００１０】
本発明において、前記第１の係合部は、凹部により形成されている一方、前記第２の係合部は、前記凹部内に挿入されて係合する凸部からなり、
前記第２のねじ部は、前記凹部内に凸部が挿入される方向に付勢部材によって付勢される、という構成を採ることができる。
【００１１】
また、前記複数の第１の係合部は、鋸刃状に形成される、という構成を採ってもよい。
【発明の効果】
【００１２】
本発明によれば、第２のねじ部の第１の係合部と支持体の第２の係合部とが係合可能となるので、演奏の振動や衝撃により第２のねじ部が回転することを規制でき、受け部材が不用意に角度変更することを防止することができる。また、第２のねじ部の回転操作中に複数の第１の係合部から一の第１の係合部を選択して第２の係合部に係合可能となり、ハイハットシンバルの角度調整と、第２のねじ部の回転規制とを同時に行うことができる。これにより、角度調整作業に要する手間を省略することができ、作業時間の短縮化を図ることが可能となる。
【００１３】
また、付勢部材によって凹部内に凸部が挿入される方向に第２のねじ部が付勢されるので、付勢力に抗して凹部から凸部を抜き出した状態での第２のねじ部の回転操作を許容して作業性を良好に保ちつつ、凹部と凸部との係合をより良く維持して第２のねじ部の不用意な回転を防止することが可能となる。
【００１４】
更に、複数の第１の係合部を鋸刃状とした場合、強制的な外力を付与して第２のねじ部を回転することにより、隣りの第１の係合部に第２の係合部を係合させることができ、第２のねじ部の操作性をより一層向上させることが可能となる。
【発明を実施するための最良の形態】
【００１５】
以下、本発明の好ましい実施の形態について図面を参照しながら説明する。
【００１６】
図１には、実施形態に係る角度調整構造が適用されたハイハットスタンドの部分概略斜視図が示され、図２には、その分解図が示されている。また、図３には、図２の要部を下から見た場合の概略斜視図が示されている。これらの図において、ハイハットスタンド１０は、図示しない脚部材を介して立設されたスタンドパイプ１１の上部にハイハットシンバルＳの角度調整構造１２を備えている。この角度調整構造１２は、前記スタンドパイプ１１の上端側に連結される支持体１４と、この支持体１４上に設けられてハイハットシンバルＳを下方から支持する受け部材１５と、この受け部材１５に設けられた第１のねじ部としての雄ねじ部１７と、この雄ねじ部１７に螺合するとともに、前記支持体１４を介して支持される第２のねじ部としての雌ねじ部１８と、この雌ねじ部１８の回転を規制可能に設けられた回転規制部１９とを備えて構成されている。
【００１７】
前記支持体１４は、前記スタンドパイプ１１の上端に固定されて当該スタンドパイプ１１より大径となる支持体本体２１と、この支持体本体２１の側面から横方向に突出する突出部２２と、この突出部２２に立設された軸状のガイド部２３と、前記支持体本体２１の上端に連設されて内部に前記受け部材１５を受容する皿状体２５と、この皿状体２５の面内中央部に立設された筒状体２６とを備えている。ガイド部２３は、雌ねじ部１８内に挿入され、当該雌ねじ部１８の上下方向の移動を案内するようになっている。皿状体２５は、前記雄ねじ部１７が貫通する図示しない穴を面内に備えており、この穴を通じて雄ねじ部１７が雌ねじ部１８と螺合できるようになっている。
【００１８】
前記受け部材１５は、前記筒状体２６が挿通される穴１５Ａを備えた平面視略円形のプレートからなる。受け部材１５は、ヒンジ部２８を介して雄ねじ部１７の一端側（図２中上端側）に回転可能に連結されている。従って、受け部材１５は、雄ねじ部１７を上下動させることで、ヒンジ部２８側が上下方向に揺動可能に設けられ、当該揺動により水平面に対する受け部材１５上面の傾斜角度が変化する。受け部材１５の上面側には、シート状のクッション材２９が設けられ、このクッション材２９上にハイハットシンバルＳが載置される。
【００１９】
前記雌ねじ部１８は、前記ガイド部２３を挿入した状態で、皿状体２５を貫通する雄ねじ部１７の先端側に螺合される。雌ねじ部１８は、その周方向に回転操作可能に設けられ、当該操作により雄ねじ部１７を上下方向に進退可能に設けられている。また、雌ねじ部１８の上端側と皿状体２５の下面との間には、コイルスプリングからなる付勢部材３１が介装されている。この付勢部材３１は、内部に雄ねじ部１７を挿通するとともに、常時は雌ねじ部１８を図１中下方に付勢する弾性力を発揮するようになっている。
【００２０】
前記回転規制部１９は、図３にも示されるように、雌ねじ部１８の下端に複数形成された第１の係合部３３と、前記突出部２２の先端側に設けられるとともに、第１の係合部３３に係合可能な第２の係合部３４とを備えている。各第１の係合部３３は、末広がり状をなす一対の傾斜縁により形成される凹部とされる。また、各第１の係合部３３は、雌ねじ部１８の周方向に連続して設けられ、複数の第１の係合部３３により鋸刃状をなすように形成されている。第２の係合部３４は、上方に突出する凸部からなる。第２の係合部３４は、第１の係合部３３の各傾斜縁にそれぞれ接触する一対の傾斜縁を有する山形状をなし、第１の係合部３３の内部に挿入されて係合し、雌ねじ部１８の回転を規制可能となっている。
【００２１】
次に、前記角度調整構造１２によるハイハットシンバルＳの角度調整方法について説明する。
【００２２】
ここでは、図１に示されるように、クッション材２９上にハイハットシンバルＳが載置される。また、雌ねじ部１８は、付勢手段３１を介して、第１の係合部３３の凹部内に第２の係合部３４の凸部が挿入される方向（図１中下方向）に付勢され、何れか一の第１の係合部３３に第２の係合部３４が係合しているものとする。この状態から、ハイハットシンバルＳの角度調整を行う場合、雌ねじ部１８を周方向に回転操作すればよい。この回転操作の回転方向に応じて雄ねじ部１７が上昇又は下降し、受け部材１５のヒンジ部２８側も上下することで、受け部材１５及びこれに支持されるハイハットシンバルＳの傾斜角度が調整される。
【００２３】
ここで、雌ねじ部１８の操作について更に詳述すると、雌ねじ部１８に強制的な外力を付与して回転することで、第１及び第２の係合部３３，３４の傾斜縁同士が滑り合うようになり、雌ねじ部１８が回転するとともに付勢部材３１の付勢力に抗して上昇する。そして、前記各傾斜縁が接触しなくなるまで雌ねじ部１８を回転した後、係合していた第１の係合部３３に対し、回転方向と反対側に隣り合う第１の係合部３３が第２の係合部３４に係合することとなる。これにより、雌ねじ部１８の回転操作を介して角度調整を行うと同時に、第１及び第２の係合部３３，３４を係合して雌ねじ部１８を回転規制することができる。
【００２４】
なお、雌ねじ部１８の操作は、以下のように行ってもよい。先ず、第１及び第２の係合部３３，３４の傾斜縁同士が離れるよう付勢部材３１の付勢力に抗して雌ねじ部１８を上昇させた状態とする。この状態を保ちながら雌ねじ部１８を所定角度回転した後、付勢部材３１の付勢力により雌ねじ部１８を下降させ、第１及び第２の係合部３３，３４を係合させる。これによっても、雄ねじ部１７を上下動させて受け部材１５の傾斜角度を調整することができる。
【００２５】
従って、このような実施形態によれば、常時は、第１の係合部３３の凹部内に第２の係合部３４の凸部が挿入されて係合され、且つ、挿入方向に付勢部材３１を介して雌ねじ部１８が付勢されるので、演奏時の振動等により不用意に前記係合が解除され、雌ねじ部１８が回転して前記傾斜角度が変化することを防止することができる。
しかも、雌ねじ部１８を操作するだけで、受け部材１５の角度調整だけでなく雌ねじ部１８の回転をロックすることができ、操作の手間を少なくして作業の迅速化を図ることが可能となる。
【００２６】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、受け部材１５に雄ねじ部１７の上端を連結することなく、雄ねじ部１７の上端上に受け部材１５が載置されるようにし、前記実施形態と同様に受け部材１５上面の傾斜角度を変化させるようにしてもよい。
【００２８】
また、第１及び第２の係合部３３，３４における凹部や凸部の形状は、種々の変更が可能であり、半円弧状や方形状としてもよい。但し、前記実施形態のような形状とすれば、各係合部３３，３４の係合を良好に保ちつつ、それらの傾斜縁を滑り合うようにして雌ねじ部１８の回転と軸方向の移動とを同時に行える点で有利となる。
【００２９】
更に、前記第１のねじ部を雌ねじ部とし、第２のねじ部を雄ねじ部としてもよい。この場合の雄ねじ部は、支持体１４に回転操作可能に支持され、下端の周方向に第１の係合部３３が複数形成される。また、雌ねじ部は、受け部材１５に設けられるとともに雄ねじ部に螺合し、当該雄ねじ部の回転操作により上下動して受け部材１５の角度を変化させる。
【図面の簡単な説明】
【００３０】
【図１】実施形態に係る角度調整構造が適用されたハイハットスタンドの部分概略斜視図。
【図２】図１の分解図。
【図３】図２の要部を下から見た場合の概略斜視図。
【符号の説明】
【００３１】
１２・・・角度調整構造、１４・・・支持体、１５・・・受け部材、１７・・・雄ねじ部（第１のねじ部）、１８・・・雌ねじ部（第２のねじ部）、１９・・・回転規制部、３１・・・付勢部材、３３・・・第１の係合部、３４・・・第２の係合部、Ｓ・・・ハイハットシンバル
【図１】
2010145572.tif 000003
【図２】
2010145572.tif 000004
【図３】
2010145572.tif 000005